(57)【要約】      （修正有）【課題】ハンドグリッパーを利用して握力計の握力数値と同程度の数値を得ることができるハンドグリッパー用握力計を提供する。【解決手段】ハンドグリッパーの本体１の両内向き方向の適部に、握力計の握力数値と同じ位の数値を示すための抵抗体２を設け、下方に設けた棒体４の数値目盛９で握力数値を確認する。手で握り締めた時、ハンドグリッパーの下方は最大で３〜４ｃｍ位移動する（棒体４の１０から８０まで）。この３〜４ｃｍの移動で握力計と同じ位の数値を示すようにするために抵抗体２が設けてある。【選択図】図１
2016087387.tif 000002
【特許請求の範囲】
【請求項１】
（イ）本体（１、１）の両内方向の適部に抵抗体（２）を固着する。
（ロ）本体（１、１）の底部に穴（３、３）を設け、その下方に数値目盛（９）を記した棒体（４）を設ける。
（ハ）棒体（４）の一端に孔（５）を設け、ピン（６）を孔（５）を通して一方の穴（３、３）に固定する。
（ニ）棒体（４）の他方にリングピン（７）を填め、他方の穴（３、３）に固定する。
以上のごとく構成されたハンドグリッパー用握力計。
【請求項２】
下方の棒体（４）に輪体（１０）を填めて前記のように固定し、上方を前記のような構造とした請求項１記載のハンドグリッパー用握力計。
【請求項３】
本体（１ｂ、１ｂ）と抵抗体（２ａ）の接触する部分の抵抗体（２ａ）を凹部（１２）として取り外しできるようにし、下部を前記のような構造とした請求項１記載のハンドグリッパー用握力計。
【請求項４】
本体（１ｃ、１ｃ）を蒲鉾型とし、内向きにした両扁平部に、接触部が扁平の抵抗体（２ｂ）を取り外しできるように設け、下部を前記のような構造にした請求項３記載のハンドグリッパー用握力計。
【発明の詳細な説明】
【技術分野】
【０００１】  本発明は、既存のハンドグリッパーを利用したハンドグリッパー用握力計に関する。
【背景技術】
【０００２】  既存のハンドグリッパーはスプリングの硬さによって１０ｋｇ、２０ｋｇ、３０ｋｇ等色々なものが市販されている。
【発明の概要】
【発明が解決しようとする課題】
【０００３】  本発明は、ハンドグリッパーを用いて簡易の握力計を作製しようとするものである。
【課題を解決するための手段】
【０００４】  既存のハンドグリッパーの内方適部に、握力計の握力数値と同程度になるようにした抵抗体を設け、握った時の握力数値を下方の棒体に設けた数値目盛で確認しようとするものである。
【発明の効果】
【０００５】  こうすることにより、安価なハンドグリッパーで目安となる握力数値が測定できる。又、抵抗体を取り外せば、通常のハンドグリッパーとして使用できる。
【図面の簡単な説明】
【０００６】
【図１】  本発明の正面図である。
【図２】  図１のＡ−Ａ切断部端面図である。
【図３】  図１の部分的拡大分解斜視図である。
【図４】  本発明の他の実施例を示す部分的正面図である。
【図５】  図４の拡大分解斜視図である。
【図６】  本発明の他の実施例を示す正面図である。
【図７】  図６のＢ−Ｂ切断部端面図である。
【図８】  図６の抵抗体の斜視図である。
【図９】  本発明の他の実施例を示す正面図である。
【図１０】  図９のＣ−Ｃ切断部端面図である。
【図１１】  図９の抵抗体の斜視図である。
【発明を実施するための形態】
【実施例】
【０００７】  本発明の構造を図面について説明すると、図１は本発明の正面図であるが、既存のハンドグリッパーの本体１、１の両内方向に抵抗体２を設けたものである。図２はその形状を示したもので、抵抗体２は弾力性のあるゴムなどが適当と思われるが、他の材料としてはスプリングなどの併用も考えられる。【０００８】  抵抗体２は本体１、１の一方の側に広く接触し、他方の本体１、１に向けて漸次細くした三角型形状としたもので、端部が他方の本体１、１に接触しており、両接触部は固着するものとする。【０００９】  図３は、本体１、１の下方の構造を示したもので、両本体１、１の底部に穴３、３を設け、その下方に楕円形縦長の棒体４を設ける。棒体４の一端には孔５を設け、この孔５にピン６を填め、本体１、１の一方の穴３に填めて固定する。孔５はピン６より大きく作成し余裕をもった大きさとする。【００１０】  棒体４の他端には、棒体４の外形より少し大きくしたリングピン７を填め、本体１、１の他方の穴３に填めて固定する。リングピン７のリング部内向き方向の両側に突起８を設ける。ピン６及びリングピン７の軸は、テーパー状になっているものを填めて固定するのであるが、ねじ込んで固定することも可能である（この場合、先にリングピン７をねじ込み、その後棒体４を填めてピン６をねじ込んで固定する）。【００１１】  棒体４の中程左寄り部分に数値目盛９が刻まれている（反対面にも）。図面では１０〜８０まで記しているが、これは１０ｋｇから８０ｋｇまで測定できるということである（１０は都合上省略している）。詳細を記すと、市販のハンドグリッパーで軽い（弱い）グリッパーは１０ｋｇ位のものがある（本発明はその１０ｋｇのものを使用しているので、０〜９ｋｇまでの握力は測定できない）。【００１２】  手で握り締めた時、ハンドグリッパーの下方は最大で３〜４ｃｍ位移動する（棒体４の１０から８０まで）。この３〜４ｃｍの移動で握力計と同じ位の数値を示すようにするために抵抗体２が設けてある。【００１３】  そうするためには、製造段階において、本体１、１を握った時の圧力数値と、握力計を握った時の圧力数値が同じ位になるように、抵抗体２の弾力を微妙に調整する必要がある。握り始めは軽い抵抗であるが、握っていくに従い徐々に抵抗が強くなるようにするため、抵抗体２の形状を三角型にしている。【００１４】  尚、抵抗体の材質の密度を、左側を薄く（粗く）、右にいくに従い濃く（細かく）できるような材料の抵抗体があれば、三角型ではなく、左右の長さが同じの台形にすることも可能と思われる。【００１５】  ２０ｋｇのハンドグリッパーを利用する場合は、２０ｋｇから８０ｋｇまでの握力が測定できる。そのためには、握力数値が２０ｋｇから始まるように、抵抗体の弾力を変える（調節する）必要がある。【００１６】  又、図面では１０ｋｇから８０ｋｇまで記しているが、抵抗体の弾力を強化することにより１０ｋｇから１００ｋｇ位までにすることも可能である。【００１７】  図４及び図５は、下部の他の構造例を示したものである。楕円柱の棒体４ａに填められる位の輪体１０（長さは１ｃｍ位）を棒体４ａの一端より填め入れ、その後リングピン７ａで固定したものである。尚、前記同様に��体１ａ、１ａには穴３ａ、３ａ、孔５ａ、ピン６ａを設ける。そして、前記リングピン７に設けていた突起８は不要となり、輪体１０の外方向の左右に輪体突起１１を設ける。【００１８】  このような構造にしたのは、握力を測定する時、即ち、精一杯握った時、数値目盛を見ることなく色々な姿勢、形態で握る場合がある。そのような時、握った後で力を抜いて数値目盛９ａを見れば、輪体突起１１の示した目盛が握力数値となる（測定後、輪体１０を左端に戻しておく）。そして、輪体１０は棒体４ａをスムースにスライドできるようにし、若干の抵抗をもたせるための工夫が必要である。【００１９】  尚、棒体４、４ａは楕円形のものを縦長にして用いているが、これは数値目盛９ａを見易くするためのもので、他の形状としては長方形の棒体を縦長に用いることも考えられる。【００２０】  図６、図７、図８は抵抗体２ａの他の実施例を示したもので、抵抗体２ａと両本体１ｂ、１ｂとの両接触部は固着せず、取り外しができる構造とする。こうすることにより、取り外せば従来のハンドグリッパーとして使用することができる。【００２１】  抵抗体２ａを填める場合は、右側の長い接触部を先に填め、その後左側の短い接触部を押し込むようにして填めれば良い。尚、両接触部は外れないように凹部１２とし、定位置に固定できるように、本体１ｂ、１ｂの下方には止具１３が設けてある。【００２２】  図９、図１０、図１１は抵抗体２ｂの他の構造例を示したもので、この場合本体１ｃ、１ｃの横断面は蒲鉾型の形状とし、扁平側を両内方向に向けた状態とする。抵抗体２ｂの両接触部も扁平とする。【００２３】  本体１ｃ、１ｃ、抵抗体２ｂをこのようにすることにより、前記取り外し構造より、更に抵抗体２ｂの取り外しが容易となる。尚、前記同様に抵抗体２ｂを定位置に固定するため、本体１ｃ、１ｃの下方に止具１３ａを設け、抵抗体２ｂがずれないように、本体１ｃ、１ｃの適部に止片１４を設ける。手前側の出し入れする方にも設ければ万全と思われる。【００２４】  使用法は、本体１、１ａ、１ｂ、１ｃ、を手で一杯握った後、棒体４、４ａの数値目盛９、９ａを見れば、目安となる握力数値を知ることができる。
【符号の説明】
【００２５】  １、１ａ、１ｂ、１ｃ  本体
２、２ａ、２ｂ        抵抗体
３、３ａ              穴
４、４ａ              棒体
５、５ａ              孔
６、６ａ              ピン
７、７ａ              リングピン
８                    突起
９、９ａ              数値目盛
１０                  輪体
１１                  輪体突起
１２                  凹部
１３                  止具
１４                  止片
【図１】
2016087387.tif 000003
【図２】
2016087387.tif 000004
【図３】
2016087387.tif 000005
【図４】
2016087387.tif 000006
【図５】
2016087387.tif 000007
【図６】
2016087387.tif 000008
【図７】
2016087387.tif 000009
【図８】
2016087387.tif 000010
【図９】
2016087387.tif 000011
【図１０】
2016087387.tif 000012
【図１１】
2016087387.tif 000013